(57)【特許請求の範囲】
【請求項１】
ペダルフレームに立設されたスタンド本体と、このスタンド本体内に摺動自在に挿通された作動ロッドと、この作動ロッドを上方へ付勢する復帰用ばねと、前記作動ロッドの下端に伝達部材を介して連結されたペダルと、前記ペダルフレームとともに前記スタンド本体を支持する脚とを備えた楽器用スタンドにおいて、
前記スタンド本体の下方に突出する前記作動ロッドの下端部にペダル角度調整用のスペーサを着脱可能に取付けたことを特徴とする楽器用スタンド。
【請求項２】
請求項１記載の楽器用スタンドにおいて、
スペーサは、中心に作動ロッドの外径より大きい丸穴部を設け、前記丸穴部と前記スペーサの外周とを前記作動ロッドの外径より小さい穴幅を有する直線状の切欠部で連通し、前記切欠部が形成されることにより径方向に弾性変形自在に構成したことを特徴とする楽器用スタンド。
【発明の詳細な説明】
【０００１】
【発明の属する技術分野】
本発明は、シンバルの演奏時に用いられるハイハットスタンド等の楽器用スタンドに関する。
【０００２】
【従来の技術】
ハイハットスタンドは、スタンド本体の上部に下側固定シンバルを設け、このスタンド本体内を摺動自在に貫通する作動ロッドの上部に上側可動シンバルを前記下側固定シンバルに対向させて設け、作動ロッドの下方に設けたペダルの踏込操作によって作動ロッドを下降させることにより上側可動シンバルが下側固定シンバルを打撃し演奏するものである。作動ロッドは復帰用ばねによって上方に付勢されており、このばね力に抗してペダルを踏込み操作するようにしている。
【０００３】
図４にシンバルの演奏に用いられる従来のハイハットスタンドを示す。このハイハットスタンド１は、折畳み自在な三脚２によって床面上に立設される中空のスタンド本体３と、このスタンド本体３内を摺動自在に貫通する作動ロッド４と、この作動ロッド４を上方へ付勢するばね装置５と、スタンド本体３の下部に取付けられたペダル装置６等を備え、スタンド本体３の上部に下側固定シンバル７を取付け、作動ロッド４の上部に上側可動シンバル８を下側固定シンバル７に対向させて取付けている。
【０００４】
前記ばね装置５は、スタンド本体３の下部の外周に固定されたパイプ９と、このパイプ９内に組み込まれた図示しない復帰用ばねとを備え、このばねによって前記作動ロッド４を上方に付勢することにより、非演奏時において上側可動シンバル８を下側固定シンバル７から離間させている。
【０００５】
前記ペダル装置６は、床面上に設置された側面視Ｌ字形のペダルフレーム１０と、このペダルフレーム１０のヒール１１に後端側（演奏者側）が上下方向に回動自在に連結されたペダル１２と、このペダル１２の前端を前記作動ロッド４の下端に連結するベルト、チェーン等の伝達部材１３等からなり、演奏時にペダル１２が踏込操作されると作動ロッド４がばね装置５のばね力に抗して下降し上側可動シンバル８が下側固定シンバル７を打撃するように構成されている。
【０００６】
ところで、この種のハイハットスタンド１においては、踏込操作するときのペダル１２の床面との交差角度が演奏性に大きく影響する。何故なら、ペダル１２の角度は作動ロッド４のストロークを決定するため、あまり角度が大きいと素早い演奏ができず、また操作し難くいばかりか足が疲労し易く、反対に角度が小さいと微妙なペダル操作ができなくなるからである。
【０００７】
そこで、例えば図５に示す角度調整機構によってペダル１２の角度を連続的に調整し得るようにしている。すなわち、この角度調整機構は、伝達部材１３をローラ１４に添接し、この伝達部材１３のペダル１２側とは反対側端部をフレーム１０側にボルト１５およびナット１６と長穴１７とで上下方向に移動可能に固定し、ボルト１６を長穴１７に沿って移動させることによりペダル１２の角度を連続的に調整し得るようにしたものである。
【０００８】
【発明が解決しようとする課題】
しかしながら、上記した従来の角度調整機構においては、角度調整時にナット１６を緩めてボルト１５を長溝１７に沿って上方または下方に移動させてペダル１２の角度を所定の角度に設定した後、ナット１６を再度締め付けてボルト１５を長穴１７に対して固定しなければならないため、調整作業が面倒で、スパナ等の工具を必要とするという問題があった。また、演奏中に振動等によってナット１６が緩むとボルト１５が長穴１７に沿って移動するため、ペダル１２の角度が変化するという問題もあった。
【０００９】
本発明は上記した従来の問題を解決するためになされたもので、その目的とするところは、構造が簡単で工具を必要とせずペダルの角度を容易に調整することができるようにした楽器用スタンドを提供することにある。
【００１０】
【課題を解決するための手段】
上記目的を達成するために第１の発明は、ペダルフレームに立設されたスタンド本体と、このスタンド本体内に摺動自在に挿通された作動ロッドと、この作動ロッドを上方へ付勢する復帰用ばねと、前記作動ロッドの下端に伝達部材を介して連結されたペダルと、前記ペダルフレームとともに前記スタンド本体を支持する脚とを備えた楽器用スタンドにおいて、前記スタンド本体の下方に突出する前記作動ロッドの下端部にペダル角度調整用のスペーサを着脱可能に取付けたことを特徴とする。
本発明において、スペーサは作動ロッドの下端部に装着されると、作動ロッドを引き下げペダルの角度を調整する。このペダルの角度は、使用するスペーサの数によって段階的に調整される。
【００１１】
第２の発明は、上記第１の発明において、スペーサは、中心に作動ロッドの外径より大きい丸穴部を設け、前記丸穴部と前記スペーサの外周とを前記作動ロッドの外径より小さい穴幅を有する直線状の切欠部で連通し、前記切欠部が形成されることにより径方向に弾性変形自在に構成したことを特徴とする。
本発明において、切欠部に作動ロッドの下端部を圧入すると、スペーサは切欠部が広がる方向に弾性変形し、作動ロッドの丸穴部への挿入を可能にする。丸穴部に作動ロッドを挿入した後、スペーサは元の形状に弾性復帰することにより作動ロッドからの脱落が防止される。
【００１２】
【発明の実施の形態】
以下、本発明を図面に示す実施の形態に基づいて詳細に説明する。
図１は本発明に係る楽器用スタンドの一実施の形態を示す要部の断面図、図２はスペーサとフェルトの斜視図である。なお、従来技術の欄で示した構成部材等と同一のものについては同一の符号をもって示し、その説明を適宜省略する。本実施の形態においては、作動ロッド４を付勢するばね装置５をスタンド本体３の下端部の外周に外装してなるハイハットスタンドに適用した例を示す。
【００１３】
前記ばね装置５は、図４に示した従来のハイハットスタンド１に用いられているばね装置と同一で、スタンド本体３の下端部外周にブラケット１９を介して固定されたパイプ２８と、このパイプ２８内に組み込まれ上端がパイプ２８に連結された復帰用ばね２０と、前記パイプ２８の内部に下方から挿入され上端に前記復帰用ばね２０の下端が連結されたスプリングロッド２１とを備え、このスプリングロッド２１の下端と前記作動ロッド１の下端を連結部材２２によって連結している。
【００１４】
前記連結部材２２は、長手方向中央部がジョイント２３の上端に水平な軸２４によって回動自在に枢支され、一端に前記作動ロッド４の下端部が貫通しナット２５によって固定されている。一方、他端側には前記スプリングロッド２１の下端部が同じく貫通しナット２６によって固定されている。前記ジョイント２３の下端側には、一端がペダル１２の前端側に固定された伝達部材１３の他端がピン２７を介して連結されている。
【００１５】
前記作動ロッド４の下端部で、前記スタンド本体５の下面と連結部材２２の上面との間の部分には、ペダル角度調整用のスペーサ３０とフェルト３１が装着されている。
【００１６】
前記スペーサ３０は、合成樹脂、金属板等によって一部周面が切欠き開放した適宜な形状、例えばＣ字状に形成されることにより、径方向に弾性変形自在で外周から中央まで延在する半径方向の長穴３２を有している。この長穴３２は、スペーサ３０の中心に設けられた丸穴部３２ａと、この丸穴３２ａとスペーサ３０の外周を連通する直線状の切欠部３２ｂとからなり、丸穴部３２ａの穴径が作動ロッド４の下端部の外径より大きく設定され、切欠部３２ｂの穴幅が作動ロッド４の下端部の外径より若干小さく設定されている。また、切欠部３２ｂのスペーサ３０の外周に開放する開口端は、スペーサ３０の作動ロッド４への装着を容易にするためにテーパ状に形成されている。
【００１７】
このようなスペーサ３０は作動ロッド４の下端部に側方から着脱可能に装着される。すなわち、予め作動ロッド４をばね装置５に抗して引き下げてスタンド本体３の下面と連結部材２２の上面との間にスペーサ３０の板厚Ｔより大きな隙間を設けておき、この状態で切欠部３２ｂの開口端を作動ロッド４の外周面に押し付けると、スペーサ３０は作動ロッド４によって径方向に弾性変形し、切欠部３２ｂが広がる。さらにスペーサ３０を作動ロッド４に押し付けると、作動ロッド４は切欠部３２ｂに圧入されて丸穴部３２ａに移動する。作動ロッド４が丸穴３部２ａに移動すると、スペーサ３０は弾性復帰して元の形状に戻り、もって作動ロッド４に装着される。この装着状態において切欠部３２ｂの穴幅は作動ロッド４の外径より小さいため、スペーサ３０は作動ロッド４から脱落することはない。
【００１８】
前記フェルト３１はリング状に形成され、ハイハットスタンドの組立時に予め作動ロッド４の下端部に装着されているが、前記スペーサ３０と同様にＣ字状に形成され、スペーサ３０とともに作動ロッド４の側方から着脱自在に装着されるものであってもよい。また、本実施の形態においては、フェルト３１を１つ用いた例を示したが、２つ用いてスペーサ３０を挟み込むと、スペーサ３０がスタンド本体３と連結部材２２に直接当接することがなく、雑音の発生をより少なくすることができる。ただし、スペーサ３０の表裏面にゴム等の雑音吸収部材を貼着しておけば、フェルト３１は必ずしも必要ではない。
【００１９】
このような構造からなるハイハットスタンドにおいて、スペーサ３０を作動ロッド４の下端部に側方から装着すると、スペーサ３０の板厚Ｔだけ作動ロッド４が下がるため、それに相応する角度だけペダル１２の角度αを小さくすることができる。この場合、スペーサ３０の数は１つに限らず、２個、３個・・・と複数個装着すると、ペダル１２の角度αを段階的に小さくすることができる。また、板厚Ｔの異なるスペーサ３０を複数個用意しておき、これらを適宜組合わせて使用すると、ペダル１２の角度を最適角度に調整することができる。
【００２０】
また、スペーサ３０を作動ロッド４に装着するための専用の工具を用いたり、ナットを締め付けたり、あるいは作動ロッド４をスタンド本体３から外したりする必要がないので、ペダル１２の角度調整が容易である。
また、複数個のスペーサ３０を用意しておくだけでハイハットスタンド自体は何ら変更したり、調整のための部材を設けたりする必要もないので、構造が簡単で、作動ロッドの外径が同じであれば他社製品であっても適用することができる。
【００２１】
図３は本発明の他の実施の形態を示す要部の断面図である。
この実施の形態は、作動ロッド４を上方に付勢する復帰用ばね２０をスタンド本体３に内装したハイハットスタンドに適用した例を示している。
同図において、４０はブッシュ、４１は座金、４２，４３はナット、４４はジョイントフェルトである。座金４１とナット４２はジョイント２３の上方に位置し、作動ロッド４の下端部に装着されている。
【００２２】
ペダル１２の角度を調整するときは、上記した実施の形態と同様に作動ロッド４を復帰用ばね２０に抗して引き下げて座金４１をスタンド本体３の下面から離間させ、この座金４１とスタンド本体３との間のロッド部分４ａにスペーサ３０とフェルト３１を装着すればよい。スペーサ３０は上記した実施の形態において用いたスペーサと同一である。フェルト３１はスペーサ３０と同一形状に形成されることによりＣ字状で半径方向の長穴を有し、スペーサ３０とともに作動ロッド４に対して着脱可能に装着される。
【００２３】
このようなハイハットスタンドにおいても、スペーサ３０とフェルト３１を作動ロッド４の下端部に側方から装着することにより、ペダル１２の角度を容易に調整することができる。
【００２４】
なお、上記した実施の形態においては、いずれもシンバル用のハイハットスタンドに適用した例を示したが、本発明はこれに限定されるものではなく、ペダル装置６を備えた楽器用のスタンド全般に適用することができる。
【００２５】
【発明の効果】
以上説明したように本発明に係る楽器用スタンドによれば、ペダル角度調整用のスペーサを作動ロッドの下端部に着脱可能に装着するだけでよいので、構造が簡単で工具を必要とせず、ペダルの角度を容易に調整することができる。また、演奏時に振動等によってスペーサが作動ロッドから脱落することもない。
さらに、スタンド自体を改造したり、あるいは調整のための部材を取付けたりする必要がないので、他社製品に対しても適用することが可能である。
【図面の簡単な説明】
【図１】  本発明をハイハットスタンドに適用した一実施の形態を示す要部の断面図である。
【図２】  スペーサとフェルトの斜視図である。
【図３】  本発明の他の実施の形態を示す要部の断面図である。
【図４】  従来のハイハットスタンドの斜視図である。
【図５】  従来の角度調整機構を示す側面図である。
【符号の説明】
１…ハイハットスタンド、２…三脚、３…スタンド本体、４…作動ロッド、６…ペダル装置、７…下側固定シンバル、８…上側可動シンバル、１０…ペダルフレーム、３０…スペーサ、３１…フェルト、３２…長穴、３２ａ…丸穴部、３２ｂ…切欠部。
【図１】
0004253926.tif 000002
【図２】
0004253926.tif 000003
【図３】
0004253926.tif 000004
【図４】
0004253926.tif 000005
【図５】
0004253926.tif 000006